(57)【要約】【課題】  太陽フレア現象とか、台風や竜巻などの顕著な自然現象のメカニズムが解明できておらず急所をはずした公費での研究が今後も続けば将来の大きなマイナスであり、課題である。【解決手段】  宇宙でもっとも重要な重力・慣性力の発生メカニズムの解明をしないまま、他の現象を理解しようとしても正解が得られるわけがない。重力・慣性力の本質がはじめて解明された。そこから必然的に生まれたジェット放出２温度回転円盤モデルは、謎の自然現象そのものであった。【選択図】図１
2005155585.tif 000002
【特許請求の範囲】
【請求項１】
ある半径の円より内側の部分（センターという）と、その円より外側の部分（ドーナッツという）の２つで構成される円盤があるとする。円盤はその中心軸を軸として滑らかに高速回転できる構造とする。モータ等で積極的に回転させる駆動装置を備える場合と駆動装置は備えない場合がある。ドーナッツは電気、ガス等を用いた加熱装置により加熱できる構造とする。ドーナッツの温度がセンターのそれより高くなればドーナッツの外縁に流入してくるエネルギー斜流が異常に増大してくる。ドーナッツにはその中心に向けて強力な重力が生じ出す。円盤はその形態を維持するため高速回転を始める。ドーナッツは自ら発熱するとともにその両面より顕著な電磁波あるいは場合によればジェットが飛び出すようになる。以上の構造と効果を備えたエネルギーを収束させて吸収・放射ができる装置
【発明の詳細な説明】
【発明の詳細な説明】
【技術分野】
【０００１】本発明は、エネルギーを収束させて吸収・放射をするために、外周部の温度を中心部より高く設定できる回転可能円盤に関するものである。
【発明が解決しようとする課題】
【０００２】自然界では、荒々しい活動のエネルギー源をどこから得ているのかいまだによく分かっていない現象が多々ある。地球では台風・竜巻・じん旋風・火災旋風、金星ではスーパーローテーション、太陽ではフレア現象、そして活動銀河中心核に存在すると言われるブラックホールなどである。これらに共通する点はそれぞれの天体（群）において激烈で驚異的な現象であると言えることである。そして何より存在する理由、成因、維持できるメカニズムがまだ分かっていない。
【０００３】当該発明者は、重力・慣性力の本質をはじめて解明し、エネルギー大循環理論として平成１５年１月よりホームページに論文を掲載し始め、同年９月、日本天文学会にて発表した。理論が正しいことを証明する目的で、手始めとして、銀河系で公転する天体の軌道速度異常を説明した。つまりダークマター問題が解決できた。２物体が最初から同じ力で引き合うのでなく、釣り合おうと努力するのが万有引力の本質であった。無条件で釣り合うとした従来の思いこみが無明を招いていたことを指摘した。
【０００４】通常、惑星であれ恒星であれ銀河のバルジであれ、中心部の温度が周辺部のそれよりも高い。そして高温の物体が低温の物体を引く力は、低温の物体が高温の物体を引く力よりも、弱いのである。その釣り合いを取るための補正力として、遠く離れた別の天体に引力が働くのであった。それがダークマター現象そのものであった。
【０００５】ではこの宇宙には、温度関係において、前述のようになっていない天体があるだろうか。あるとすればどんな現象を引き起こすであろうか。球形を完全に押しつぶせば円盤形（正確には円柱）になる。中央部でも放熱性がよく、中央部だけに熱が留まることはない。半径方向の外側から熱がくれば、円盤の外周部が高温で中央部が比較的低温という温度分布になりうる。これは通常の天体と比較し温度分布が逆転している。２温度円盤と呼ぶことにする。
【０００６】ある半径の円より内側の部分（センターという）と、その円より外側の部分（ドーナッツという）からなる円盤があるとする。ドーナッツの温度はセンターのそれより高温とする。ドーナッツ上のある点（Ａとする）と、その点を除く円盤全体（Ｂとする）の間の力の釣り合いを考える。Ｂに流れ込むエネルギー斜流がＡに及ぼす力の方が、Ａに流れ込むエネルギー斜流がＢに及ぼす力よりも大きい。
【０００７】その差を補填するために、円盤の中心をはさんでＡの正反対の位置に、円盤の中心に向かう補正力が働く。Ａを円盤上のどの位置に想定しても同じことが言えるので、この中心に向かう補正力は、ドーナッツ全体に働く。これにより、力の釣り合いが取れたように見える。しかし、正反対側からくる補正力によって、Ａにかかる力が増加し、変化しないＢにかかる力との差がさらに開いてしまう。ドーナッツ全体で、補正すればするほど補正が必要になる補正地獄が始まる。遠方より円盤の外周に向かい強いエネルギー斜流が流入してくる。補正地獄はエネルギー−電子反応が限界状態になるまで続く。
【０００８】空間には溢れるエネルギーがあり、電子は常にエネルギー不足である。エネルギーは電子と反応し吸収される。そのとき互いに引き合う。これがエネルギー−電子反応であった。全ての物質の電子の営みのためにエネルギーが全方位から流入している。これが物質によるエネルギー斜流であった。慣性力・重力は、エネルギー−電子反応による発生引力の総和に不均衡を生じ、相殺されない分である。万有引力とは、一方の物質の電子が、相手の物質に流れ込むエネルギー斜流と反応することで生じた引力の和であった。重力・慣性力が強くなるということは電子が特定の方向にあるエネルギーと反応しがちになっていくことにほかならない。
【０００９】であるから限界状態とは、電子がその方向にあるエネルギーとしか反応できない極限状態のことである。電子は反応の度に引かれ、その方向の速度成分が増える。その方向とは貫通するエネルギー斜流の下流方向のことである。電子の軌道は楕円になる。電子が楕円の緩やかな曲線部分を下流に向かうときにエネルギーと反応する。そしてきつい曲率半径の部分をターンして１８０度方向転換し、原子核を挟んで反対側の緩やかな部分を引き返す。長軸の向きは、円盤の半径の方向と一致する。電子が電磁波を放出する場所は、長軸との交点である２箇所しかない。電磁波の出方に強い制約を課せられたことになり、強い電磁波が飛び出すことになる。
【００１０】こうしてドーナッツにはその中心に向けて強力な重力が生じる。高速で回転する他はない。円盤が回転するなら、電子の楕円軌道の向きは力学的に安定した方向に向く。短軸方向が定まっていない。円盤が回転をすれば、短軸を円盤面に垂直にするように、電子軌道面の向きが揃ってくる。ドーナッツの両面から放射方向がよく揃った強烈な電磁波が飛び出す。電磁波によって電子を生成させることは不思議なことではない。円盤面から互いに反対方向にジェットを放射する。この状態をジェット放出２温度回転円盤という。
【００１１】ところでこの現象のエネルギーはどこから来ているか。言うまでもなく、物質によるエネルギー斜流をおいて他にはない。電子は軌道上でエネルギーと出会うのであるが、通常はその位置はランダム。物質全体として、かかる力は相殺され、放出される電磁波も形態上はほとんど相殺される。ジェット放出２温度回転円盤は、全方位から入るべきエネルギーが、ドーナッツの外周から中心方向へ向かってのみに限られ、全方位へ去っていくべきエネルギーがドーナッツの両面からのみ、それも向きまで揃えるのである。通常の場合の相殺効果はまったく消えて、入りのエネルギーも出のそれも鋭いだけでなくパワーも備えた極めて激しい自然現象が出現する。
【００１２】このように簡単な条件さえ整えば、物質の密度を大きく変化させることなしで、また特別に巨大なエネルギーを他から調達することなしで、発生する重力加速度が爆発的に大きくなることが分かった。あまりに重力加速度が大きくなり光さえ出られないほどになったとしても、その一方で筒抜けであった。活動銀河中心核に存在すると考えられているブラックホールというのはジェット放出２温度回転円盤のことである可能性が極めて大きい。
【００１３】わが地球からはじまり宇宙全体に関してまで、そこで起きる変化に富んだ激しい自然現象について、分からないことの方がまだ多いのであるが多くの研究がなされているという現状があることを容易に知ることができる。地球上では被害と直結するのでもちろんであるが、激しい自然現象は研究者の関心を引きつけて止まないからである。そして現象の解明自体への関心もさることながら、人類が利用できる新エネルギーの発見につながる可能性が大きいからである。確かに、太陽フレア現象とか、台風や竜巻を見ればその巨大なエネルギーを飼い慣らすことができればと誰でも思う。
【００１４】ゆえに、顕著な自然現象の謎がいまだに解明できていないということは現在までのマイナスであり、これからも急所をはずした公費での研究が続くということは将来の大きなマイナスであり、課題である。
【課題を解決するための手段】
【００１５】ダークマター現象の解明後、ブラックホール問題にケリをつけるためにジェット放出２温度回転円盤モデルを構築した。また、２温度円盤という単純さからすれば他にもこの原理を持つ自然現象があらゆる所に存在するはずである。そして、このモデルは太陽フレア現象、台風・竜巻・じん旋風・火災旋風、そして金星のスーパーローテーションそのものであることが分かった。もちろん、すべてが明らかなジェットを放出しているわけではない。また、太陽フレア現象はドーナッツがとぎれとぎれで回転も不十分な例であり、スーパーローテーションは多数の円盤の複合体であった。ところで、ここで上げた現象のうち雷を伴うものがあるが、このモデルは雷の成因まで説明している可能性がある。
【００１６】ゆえに、顕著な自然現象の謎がいまだに解明できていないという現状は、宇宙でもっとも重要な重力・慣性力の発生メカニズムの解明をしないまま、他の現象を理解しようとしてきた信じられない歴史の当然の帰結である。エネルギー大循環理論は重力・慣性力の本質をはじめて解明した。ジェット放出２温度回転円盤モデルはそこから必然的に生まれ、各自然現象の核心を説明できるようになった。このモデルを実際に製作し、理論どおりの効果を実証することは、各自然現象が再現できたことを意味するだけでなく、新エネルギー発生装置の原型を手に入れたことになる。
【発明を実施するための最良の形態】
【００１７】以下本発明の実施の形態を図を参照しながら説明する。【００１８】図１は本発明の実施例を示す装置の構成図である。１はドーナッツとセンターからなる円盤である。ドーナッツとセンターの境界は隙間をあけるなどしてドーナッツの熱がセンターへ移動しにくい構造とする。２は、中心軸で１の円盤の回転軸である。３は駆動装置で、１の円盤の回転をスタートさせることができる。その後、駆動力が切れても１の円盤の自発的な回転を妨げない構造とする。４は加熱装置で１の円盤のドーナッツの相当範囲を加熱することができる能力とする。平面的な設置位置は、正多角（偶数）形の頂点の位置を形成するように配置する。即ち設置数量の例は、２、４、６、８、１０個などである。【００１９】図２は、図１の１の円盤のドーナッツ上のある点（Ａ）と、その点を除く円盤全体（Ｂ）の間の力の釣り合いを考えた図である。Ｂに流れ込むエネルギー斜流がＡに及ぼす力の方が、Ａに流れ込むエネルギー斜流がＢに及ぼす力よりも大きい。その差を補填するために、円盤の中心をはさんでＡの正反対の位置に、円盤の中心に向かう補正力が働く。Ａを円盤上のどの位置に想定しても同じことが言えるので、この中心に向かう補正力は、ドーナッツ全体に働く。これにより、力の釣り合いが取れたように見える。しかし、正反対側からくる補正力によって、Ａにかかる力が増加し、変化しないＢにかかる力との差がさらに開いてしまう。【００２０】図３は、図２の状態がさらに進行した状態を示す図である。ドーナッツ全体で、補正すればするほど補正が必要になる補正地獄が始まる。遠方より円盤の外周に向かい強いエネルギー斜流が流入してくる。補正地獄はエネルギー−電子反応が限界状態になるまで続く。
【図面の簡単な説明】
【図１】本発明の実施例を示す構成図である。
【図２】本発明の実施例での円盤内部に働く力学的関係を示す図である。
【図３】本発明の実施例での円盤内外部に起こる物理的変化を示す図である。
【符号の説明】
１円盤
２中心軸
３駆動装置
４加熱装置
【図１】
2005155585.tif 000003
【図２】
2005155585.tif 000004
【図３】
2005155585.tif 000005